(57)【要約】【課題】  遮光部が折畳み自在であり、液晶機器に対して着脱自在で汎用性に富み、また液晶画面に映された像の視認が容易な液晶機器用遮光フードを提供する。【解決手段】  フレーム部１０の先方部側に折畳み自在の遮光部２０を備えたフード体１を液晶機器Ｐの液晶画面Ｑ縁に着脱自在に装着する液晶機器用遮光フードにおいて、  上記フード体１の遮光部２０は上面板２１と両側面板２２、２３を断面コ字状に形成し三つ折り状に折畳み自在としてなり、  上記フード体１のフレーム部１０には基部側に設けた溝部１５に粘着性の軟質材からなる接着子１６を一体的に取付け、該接着子１６を介して上記フード体１を液晶機器Ｐの液晶画面縁Ｐに着脱自在に装着する。【選択図】  図２
2005221948.tif 000002
【特許請求の範囲】
【請求項１】
略方形状に形成されたフレーム部の先方部側に折畳み自在の遮光部を備えたフード体を液晶機器の液晶画面縁に着脱自在に装着する液晶機器用遮光フードにおいて、
上記フード体の遮光部は上面板と両側面板を断面コ字状に形成し三つ折り状に折畳み自在としてなり、上記上面板は折畳み状態において上記フレーム部に係脱自在に係止され、上記上面板の係止が解除されると上記各側面板がスプリングによって開方向に弾発作用してコ字状に開閉自在となり、
上記フード体のフレーム部には基部側に設けた溝部に粘着性の軟質材からなる接着子を一体的に取付け、該接着子を介して上記フード体を液晶機器の液晶画面縁に着脱自在に装着することを特徴とする液晶機器用遮光フード。
【請求項２】
略方形状に形成されたフレーム部の先方部側に折畳み自在の遮光部を備えたフード体を液晶機器の液晶画面縁に着脱自在に装着する液晶機器用遮光フードにおいて、
上記フード体の遮光部は上面板と両側面板を断面コ字状に形成し三つ折り状に折畳み自在としてなり、上記上面板は折畳み状態において上記フレーム部に係脱自在に係止され、上記上面板の係止が解除されると上記各側面板がスプリングによって開方向に弾発作用してコ字状に開閉自在となり、
上記フード体のフレーム部には基部側に設けた溝部に粘着性の軟質材からなる接着子を一体的に取付け、該接着子を介して上記フード体を液晶機器の液晶画面縁に着脱自在に装着し、
上記フード体の遮光部先端にはレンズ体を着脱自在に取付け、該レンズ体は略方形状のレンズ保持枠に薄板状のレンズ板が保持され、上記レンズ保持枠にはレンズ体を上記遮光部に取付ける取付把持部を設けてなることを特徴とする液晶機器用遮光フード。
【請求項３】
上記レンズ体の取付把持部は上記レンズ保持枠の両側辺部に形成され、該取付把持部は上記側面板の肉厚と略等しい幅の嵌合溝を有し、該嵌合溝に上記側面板先端部が嵌合して把持されることを特徴とする請求項２記載の液晶機器用遮光フード。
【請求項４】
上記フード体の遮光部は上記フレーム部に対する上記上面板の係止が解除されると、該上面板が上面板の内側に収納された各側面板の開方向への弾発作用により上方へ押上げられて開状態とされることを特徴とする請求項１〜３のいずれか１項に記載の液晶機器用遮光フード。
【請求項５】
上記フード体のフレーム部の接着子には上記フレーム部の基部側の面から突出する膨出部を設け、該膨出部を液晶画面縁に接着させて上記フード体を液晶機器に装着することを特徴とする請求項１〜４のいずれか１項に記載の液晶用遮光フード。
【発明の詳細な説明】
【技術分野】
【０００１】
本発明はデジタルカメラやビデオカメラ、携帯電話等の小型の液晶機器用の遮光フードに関し、より詳細には遮光部を折畳み自在とした液晶機器用遮光フードに関する。
【背景技術】
【０００２】
近年、デジタルカメラやビデオカメラ、携帯電話等、液晶画面を備えた機器が多く見られる。この種の液晶機器においては、太陽光等の外部からの入射光により、液晶画面に表示された画像が見にくくなることがある。このようなことから、外部からの入射光を遮蔽するために、液晶画面の周囲を覆うように遮光フードを取付けることが考えられている。
【０００３】
このような液晶機器用の遮光フードとしては、例えば特許文献１に記載されているような、遮光部を折畳み自在とした遮光フードがある。このような遮光フードは、フレーム部に対して上面板及び両側面板をスプリングを介して折畳み自在に取り付けて構成されている。これにより、遮光フード使用時には上面板及び両側面板を開いて使用し、使用後は遮光部を折畳むことによってフード全体がかさばらず、遮光フードを取付けたままでも液晶機器をバッグや収納ケース等に収納することが可能となる。
【特許文献１】特開平６−３３９０９１号公報
【発明の開示】
【発明が解決しようとする課題】
【０００４】
ところで、従来の液晶機器用の遮光フードは、液晶機器の外形状に対応した装着部を形成し、液晶機器に係合させるなどしてフード体を取付けていた。このような遮光フードにおいては、各液晶機器ごとにその装着部の形状を変更する必要があり、生産コストが高くなる。また、汎用性が低く他の液晶機器に用いることができないので、それぞれの液晶機器について対応する遮光フードを購入する必要があった。
また、遮光フードの汎用性を高めたものとして、フード体を両面接着テープによって液晶機器に取付ける構成のものある。しかし、両面接着テープによって遮光フードを取付けたままにしておくと、液晶機器に両面接着テープによるベタつきが発生する。また、何度か着脱を繰返すと両面接着テープの粘着力が落ちてくる。
さらに、デジタルカメラ等の場合、液晶画面の大きさは１．８〜２．０インチと小さく、撮影した画像を確認する際などに画像の細部を確認しづらいという問題があった。
【０００５】
本発明は以上の問題点を鑑みてなされたものであり、遮光部が折畳み自在であり、液晶機器に対して着脱自在で汎用性に富み、また液晶画面に映された像の視認が容易な液晶機器用遮光フードを提供することを目的とする。
【課題を解決するための手段】
【０００６】
上記課題を解決するため本発明に係る液晶機器用遮光フードは、略方形状に形成されたフレーム部の先方部側に折畳み自在の遮光部を備えたフード体を液晶機器の液晶画面縁に着脱自在に装着する液晶機器用遮光フードにおいて、上記フード体の遮光部は上面板と両側面板を断面コ字状に形成し三つ折り状に折畳み自在としてなり、上記上面板は折畳み状態において上記フレーム部に係脱自在に係止され、上記上面板の係止が解除されると上記各側面板がスプリングによって開方向に弾発作用してコ字状に開閉自在となり、上記フード体のフレーム部には基部側に設けた溝部に粘着性の軟質材からなる接着子を一体的に取付け、該接着子を介して上記フード体を液晶機器の液晶画面縁に着脱自在に装着することを特徴として構成されている。
【０００７】
また本発明に係る液晶機器用遮光フードは、略方形状に形成されたフレーム部の先方部側に折畳み自在の遮光部を備えたフード体を液晶機器の液晶画面縁に着脱自在に装着する液晶機器用遮光フードにおいて、上記フード体の遮光部は上面板と両側面板を断面コ字状に形成し三つ折り状に折畳み自在としてなり、上記上面板は折畳み状態において上記フレーム部に係脱自在に係止され、上記上面板の係止が解除されると上記各側面板がスプリングによって開方向に弾発作用してコ字状に開閉自在となり、上記フード体のフレーム部には基部側に設けた溝部に粘着性の軟質材からなる接着子を一体的に取付け、該接着子を介して上記フード体を液晶機器の液晶画面縁に着脱自在に装着し、上記フード体の遮光部先端にはレンズ体を着脱自在に取付け、該レンズ体は略方形状のレンズ保持枠に薄板状のレンズ板が保持され、上記レンズ保持枠にはレンズ体を上記遮光部に取付ける取付把持部を設けてなることを特徴として構成されている。
【０００８】
また本発明に係る液晶機器用遮光フードは、上記レンズ体の取付把持部は上記レンズ保持枠の両側辺部に形成され、該取付把持部は上記側面板の肉厚と略等しい幅の嵌合溝を有し、該嵌合溝に上記側面板先端部が嵌合して把持されることを特徴として構成されている。
【０００９】
また本発明に係る液晶機器用遮光フードは、上記フード体の遮光部は上記フレーム部に対する上記上面板の係止が解除されると、該上面板が上面板の内側に収納された各側面板の開方向への弾発作用により上方へ押上げられて開状態とされることを特徴として構成されている。
【００１０】
また本発明に係る液晶機器用遮光フードは、上記フード体のフレーム部の接着子には上記フレーム部の基部側の面から突出する膨出部を設け、該膨出部を液晶画面縁に接着させて上記フード体を液晶機器に装着することを特徴として構成されている。
【発明の効果】
【００１１】
本発明に係る液晶機器用遮光フードによれば、遮光部が折畳み自在であるので、液晶機器をバッグや収納ケースに収納する際も遮光部を折畳めばフード体が邪魔になることはない。また、このフード体は粘着性の軟質材からなる接着子を介して液晶機器の液晶画面縁に着脱自在に装着されるので、液晶機器の各機種の形状に依存することなくどのような機器にも利用することができ、また両面接着テープを用いてフード体を液晶機器に装着したときのようなベタつきが発生することもない。
【００１２】
また本発明に係る液晶機器用遮光フードによれば、フード体の遮光部先端にはレンズ体を着脱自在に取付けることとしたので、拡大鏡としても用いることが可能となる。これにより例えばデジタルカメラの場合、撮影した画像の確認が容易となる。
【００１３】
また本発明に係る液晶機器用遮光フードによれば、レンズ体の取付把持部はレンズ保持枠の両側辺部に形成され、側面板の肉厚と略等しい幅の嵌合溝を有し、嵌合溝に側面板先端部が嵌合して把持されることから、フード体に対するレンズ体の取付けがより確実になると共に、両側面板を把持することでレンズ体により遮光部の開状態が確実に維持され、拡大鏡としての機能を確実に果たすことが可能となる。
【００１４】
また本発明に係る液晶機器用遮光フードによれば、フード体の遮光部はフレーム部に対する上面板の係止が解除されると、上面板が上面板の内側に収納された各側面板の開方向への弾発作用により上方へ押上げられて開状態とされることから、フレーム部と上面板の係止を解除するだけで遮光部が断面コ字状に組み上がるので開動作が容易となる。
【００１５】
また本発明に係る液晶機器用遮光フードによれば、フード体のフレーム部の接着子にはフレーム部の基部側の面から突出する膨出部を設け、この膨出部を液晶画面縁に接着させてフード体を液晶機器に装着することから、より確実かつ強固にフード体を液晶機器に装着可能となる。
【発明を実施するための最良の形態】
【００１６】
以下、本発明の実施形態について、図面を参照しつつ詳細に説明する。図１は本発明の実施形態における液晶機器用遮光フードの斜視図、図２は図１のＡ−Ａ断面図、図３は本発明の実施形態におけるフレーム部を表す図、図４は本発明の実施形態における上面板を表す図、図５は本発明の実施形態における側面板を表す図、図６は開状態のフード体を表す図、図７は左右の側面板を折畳んだ状態のフード体を表す図、図８は閉状態のフード体を表す図である。
【００１７】
本実施形態においては、液晶機器としてデジタルカメラを例に挙げて説明する。フード体１は図１に示すように、デジタルカメラＰの液晶画面Ｑの外縁に着脱自在に装着される略方形状のフレーム部１０と、このフレーム部１０の先方部側（デジタルカメラＰを向く面の反対側の面を指すものとする）に取付けられる遮光部２０から構成される。遮光部２０はフレーム部１０の上辺部１１に取付けられる上面板２１と、フレーム部１０の左右の側辺部１２、１３にそれぞれ取付けられる側辺板２２、２３から構成され、三つ折り状に折畳み自在とされている。
【００１８】
フレーム部１０は図３（ａ）に示すようにプラスティック樹脂によって略方形枠状に形成されるものである。このフレーム部１０は、液晶画面Ｑの外縁に装着した際、内側の略方形状の開口部１０ａを介して液晶画面Ｑが視認可能なように、開口部１０ａが液晶画面Ｑと略等しい大きさとなるように形成される。ここで、流通しているデジタルカメラの液晶画面は約１．８インチのものが多いので、本実施形態では開口部１０ａの方形の大きさも１．８インチ程度のものとする。ただし、開口部１０ａの大きさはこれに限られるものではなく、流通する機器の液晶画面の大きさに合うように変更可能である。
【００１９】
また、このフレーム部１０の基部側（デジタルカメラＰを向く側を指すものとする）には、図３（ｂ）、（ｃ）に示すように略全周に渡って溝部１５が設けられており、この溝部１５には粘着性の軟質材からなる接着子たるプラスティックゲル１６が一体的に取付けられている。このプラスティックゲル１６を用いれば、両面接着テープを使用する遮光フードをデジタルカメラに着脱した際に生じるような接着面のベタつきが生じず、また各機種に依存することなくどのような機器にも装着可能である。さらに、プラスティックゲル１６の接着表面に付着した埃、ゴミ等を洗浄することによって粘着力を回復・維持することができる。なお、ここではプラスティックゲルを用いることとしたが、同様の効果を有する軟質材からなる接着物であれば利用可能である。また、溝部１５に取付けたプラスティックゲル１６は、フレーム部１０の基部側の面から突出させた膨出部１６ａが形成されている。この膨出部１６ａを図２に示すように液晶画面Ｑの外縁に接着することにより、フレーム部１０をデジタルカメラＰに取付ける。
【００２０】
一方、遮光部２０が取付けられるフレーム部１０の先方部側においては、図３（ａ）に示すように、上辺部１１の左右端部近傍に上面板２１を開閉自在に組付けるための枢着ピン１１ａ、１１ａがそれぞれ設けられている。
また両側面部１２、１３には側面板２２、２３を開閉自在に組付けるための開閉軸１２ａ、１３ａが設けられている。さらに両側面部１２、１３には、側面板２２、２３の開方向への動きを規制する規制片１２ｂ、１３ｂが全長に渡って設けられている。さらにまた両側面部１２、１３には、側面板２２、２３を開方向に付勢するためのコイルスプリング１７が取付けられている。またフレーム部１０の下辺部１４には、上面板２１の下端部と係合し上面板２１をフレーム部１０側に保持しておくための係合突起１４ａが設けられている。
【００２１】
次に、フレーム部１０の先方部側に取付けられる遮光部２０について説明する。遮光部２０はプラスティック樹脂によって形成されるものであり、図１、図６に示すように、フレーム部１０の上辺部１１に取付けられる上面板２１と、フレーム部１０の左右の側辺部１２、１３にそれぞれ取付けられる左右の側辺板２２、２３から構成され、この３枚の遮光板を断面コ字状に組立てることで液晶画面Ｑへの入射光を遮断可能となる。
上面板２１は図４（ａ）に示すように、フレーム部１０と略同じ大きさの略方形状をなし、両側辺部からは図４（ｂ）に示すように側辺部の全長に渡って背面側に突出する連接片２１ａ、２１ａを有する。この連接片２１ａは上面板２１の開状態においては両側面板２２、２３の上端部に当接して上面板２１と両側面板２２、２３を連続状とし、閉状態においてはフレーム部１０の側面部１２、１３の規制片１２ｂ、１３ｂの内側に納まる。そしてこの連接片２１ａ、２１ａの上端部付近にはそれぞれ枢着孔２１ｂ、２１ｂを有し、この枢着孔２１ｂ、２１ｂをフレーム部１０の上辺部１１に設けられた枢着ピン１１ａ、１１ａに対して組付けることで、上面板２１はフレーム部１０に対して略９０度までの範囲で開閉自在となる。また上面板２１の下端部には係合凹部２１ｃが形成されており、この係合凹部２１ｃとフレーム部１０側の係合突起１４ａが係合することで、上面板２１はフレーム部１０に保持され、閉状態を維持可能となる。
【００２２】
左右の側面板２２、２３は左右対称な形状なので、ここでは右側の側面板２２についてのみ説明する。側面板２２は図５（ａ）に示すように、下辺部が緩やかな傾斜状の略方形状をなし、上辺部は上面板２１の側辺部とその長さが略等しくなるように形成されている。この側面板２２は図５（ａ）、（ｂ）に示すように、側辺部の上端及び下端にそれぞれフック部２２ａ、２２ａを有し、このフック部２２ａをフレーム部１０の側辺部１２の上端及び下端に設けた開閉軸１２ａに係合させることにより、側面板２２はフレーム部１０に対して開閉自在となる。ここで、側面板２２はフレーム部１０の側辺部１２に設けられた規制片１２ｂにより開方向への動きを規制され、その結果側面板２２はフレーム部１０に対して略９０度までの範囲で開閉自在となる。また側面板２２はフレーム部１０の側辺部１２に取付けられたコイルスプリング１７によって開方向に付勢され、なんら外力が働かなければ、側面板２２は略９０度開いた状態を維持する。
【００２３】
このように、上面板２１及び左右の側面板２２、２３を開閉自在とすることで、遮光部２０は三つ折り状に折畳み可能となり、デジタルカメラＰをバッグや収納ケース等に収納する際もフード体１が邪魔になることはない。
ここで、断面コ字状に組み立てられ開状態となった遮光部２０を折畳む際は、図７に示すように、左右の側面板２２、２３を先に折畳んで内側に納め、次に上面板２１を折畳んで、上面板２１の係合凹部２１ｃをフレーム部１０の係合突起１４ａに係合させることで、上面板２１がフレーム部１０側に保持され、図８に示すように遮光部２０が折畳まれた閉状態を維持する。
一方、遮光部２０が折畳まれた閉状態において、上面板２１とフレーム部１０の係止状態を解除すると、上面板２１の内側に納められている両側面板２２、２３がコイルスプリング１７、１７の付勢力により開方向に弾発作用することで、両側面板２２、２３が上面板２１を上方向に押し上げながら開き、両側面板２２、２３が規制片１２ｂ、１３ｂにより規制がかかる約９０度まで開くと、これら両側面板２２、２３によって上面板２１も上側に約９０度開き、図６に示すように断面コ字状となって遮光部２０が開状態となる。
【００２４】
以上、フード体１について説明した。ところでこのフード体１には図９に示すように、液晶画面に映し出された像を拡大表示するレンズ体３０が、必要に応じて遮光部２０先端部に着脱自在に装着される。このレンズ体３０は液晶画面Ｑの大きさと略同じ大きさの薄板状のレンズ板３１と、このレンズ板３１を保持するレンズ保持枠３２からなる。本実施形態においては、レンズ板３１は倍率１．５〜２倍程度の凸レンズとしての性能を有するプラスティック製のフレネルレンズとする。
【００２５】
レンズ保持枠３２は保持枠本体３３と、この保持枠本体３３の先方部側にレンズ板３１を介して固定される枠状のレンズ押さえ３４から構成される。保持枠本体３３は図１１（ａ）に示すように、プラスティック樹脂によりレンズ板３１よりも若干大きい枠状に形成される。保持枠本体３３の先方部側の面の内周部には、レンズ板３１の肉厚分だけ周囲よりも落込んだレンズ取付部３３ａが形成されており、このレンズ取付部３３ａにレンズ板３１がはめ込まれる。また同じく先方部側の面の所定位置にはレンズ押さえ３４を保持枠本体３３に固定するための取付孔３３ｂ、３３ｂが形成されている。
さらに保持枠本体３３は図１１（ｂ）に示すように、その側辺部の基部側に遮光部２０の側面板２２、２３の肉厚と略同幅の嵌合溝３５ａを有する取付把持部３５を有し、この取付把持部３５の嵌合溝３５ａに遮光部２０の側面板２２、２３先端部を嵌合させることにより、レンズ体３０はフード体１に取付固定される。
【００２６】
一方、レンズ押さえ３４は図１２（ａ）に示すように、プラスティック樹脂によりレンズ板３１よりも若干大きい枠状に形成される。このレンズ押さえ３４の基部側の面には図１３（ｂ）に示すように、レンズ押さえ３４を保持枠本体３３に固定するための取付ピン３４ａ、３４ａが所定位置に形成されている。
レンズ板３１は保持枠本体３３のレンズ取付部３３ａにはめ込まれた状態で、保持枠本体３３の取付孔３３ｂ、３３ｂにレンズ押さえ３４の取付ピン３４ａ、３４ａを差込固定して保持枠本体３３にレンズ押さえ３４を取付固定することで、図１０に示すようにレンズ保持枠３２に保持された状態となる。
【００２７】
このように、レンズ体３０をフード体１に対して着脱自在とすることにより、液晶画面Ｑに映し出された像の確認が容易となる。すなわち、流通しているデジタルカメラの液晶画面の大きさは１．８〜２．０インチと小さく、撮影した画像を確認する際などに画像の細部を確認しづらい。
【００２８】
そこで、フード体１の先端部にレンズ体３０を取付けて液晶画面Ｑに映し出された像を拡大表示することにより、撮影した画像の細部の確認などが行いやすくなる。また、遮光部２０の先端部にレンズ体３０を取付けても、レンズ体３０に対する入射光の問題は、画像の確認の際には生じにくい。すなわち、デジタルカメラの場合、撮影の際は撮影対象との位置関係からデジタルカメラの位置、向き等も決定されるので、太陽光などの入射光との関係で遮光が必要となる場合が発生する。しかし撮影した画像を確認する際にはデジタルカメラの位置、向き等は特定されないので、液晶画面の遮光の必要がない位置、あるいは向きにデジタルカメラを移動することが可能となる。
【００２９】
またこのレンズ体３０は着脱自在であることから、撮影時などレンズ体３０が不要なときは取外し可能であるので、撮影、画像の確認等、その状況に応じて使い分けることができる。またレンズ保持枠３２により両側面板２２、２３を把持することで、遮光部２０の開状態が確実に維持され、拡大鏡としての機能を確実に果たすことが可能となる。
【００３０】
以上、本発明の実施形態について説明した。上記実施形態においては液晶機器としてデジタルカメラを例に挙げて説明した。しかし、本発明に係る液晶機器用遮光フードの装着対象はこれに限られるものではなく、ビデオカメラ、携帯電話、ＰＨＳ、携帯ゲーム機、携帯テレビ、車両用ナビゲーター、及びＰＤＡ等の携帯情報端末等の液晶画面を備えた液晶機器であれば広く適用可能である。
【図面の簡単な説明】
【００３１】
【図１】本発明の実施形態におけるフード体の斜視図である。
【図２】図１のＡ−Ａ断面図である。
【図３】本発明の実施形態におけるフレーム部を表す図であり、（ａ）は正面図、（ｂ）は背面図、（ｃ）は（ａ）のＢ−Ｂ断面図である。
【図４】本発明の実施形態における上面板を表す図であり、（ａ）背面図、（ｂ）は（ａ）のＣ−Ｃ断面図である。
【図５】本発明の実施形態における側面板を表す図であり、（ａ）は正面図、（ｂ）は背面図、（ｂ）は上面図である。
【図６】開状態のフード体を表す図であり、（ａ）は正面図、（ｂ）は右側面図である。
【図７】左右の側面板を折畳んだ状態のフード体を表す図であり、（ａ）は正面図、（ｂ）は右側面図である。
【図８】閉状態のフード体を表す図であり、（ａ）は正面図、（ｂ）は右側面図、（ｃ）は（ａ）のＤ−Ｄ断面図である。である。
【図９】フード体にレンズ体を取付けた状態の斜視図である。
【図１０】図９のＥ−Ｅ断面図である。
【図１１】本発明の実施形態における保持枠本体を表す図であり、（ａ）は正面図、（ｂ）は（ａ）のＦ−Ｆ断面図である。
【図１２】本発明の実施形態におけるレンズ押さえを表す図であり、（ａ）は正面図、（ｂ）は（ａ）のＧ−Ｇ断面図である。
【符号の説明】
【００３２】
１      フード体
１０      フレーム部
１０ａ    開口部
１１      上辺部
１１ａ    枢着ピン
１２、１３  側辺部
１２ａ、１３ａ  開閉軸
１２ｂ、１３ｂ  規制片
１４      下辺部
１４ａ    係合突起
１５      溝部
１６      プラスティックゲル
１６ａ    膨出部
１７      コイルスプリング
２０      遮光部
２１      上面板
２１ａ    連接片
２１ｂ    枢着孔
２１ｃ    係合凹部
２２、２３  側面板
２２ａ、２３ａ  フック部
３０      レンズ体
３１      レンズ板
３２      レンズ保持枠
３３      保持枠本体
３３ａ    レンズ取付部
３３ｂ    取付孔
３４      レンズ押さえ
３４ａ    取付ピン
３５      取付把持部
３５ａ    嵌合溝
Ｐ      デジタルカメラ
Ｑ      液晶画面
【図１】
2005221948.tif 000003
【図２】
2005221948.tif 000004
【図３】
2005221948.tif 000005
【図４】
2005221948.tif 000006
【図５】
2005221948.tif 000007
【図６】
2005221948.tif 000008
【図７】
2005221948.tif 000009
【図８】
2005221948.tif 000010
【図９】
2005221948.tif 000011
【図１０】
2005221948.tif 000012
【図１１】
2005221948.tif 000013
【図１２】
2005221948.tif 000014